(57)【要約】【課題】  シート束の折り目の形状を整えているとき、シート束の位置がずれないようにして、折り目の処理精度を向上させること。【解決手段】  中綴じ製本部８００は、シート束を折り曲げる突き出し部材８３０及び折りローラ対８１０と、シート束の折り部に折り目を付けるプレスローラ対８６１と、プレスローラ対８６１がシート束の折り部に折り目を付けているとき、突き出し部材８３０及び折りローラ対８１０とプレスローラ対８６１との間でシート束を保持する複数の第１、第２折りローラ対８１１，８１２とを備えている。【選択図】      図１５
2006341991.tif 000002
【特許請求の範囲】
【請求項１】
シート束を折り曲げる折り曲げ手段と、
前記シート束の折り部に折り目を付ける折り目処理手段と、
前記折り目処理手段が前記シート束の折り部に折り目を付けているとき、前記折り曲げ手段と前記折り目処理手段との間で前記シート束を保持する保持手段と、を備え、
前記保持手段が、複数備えられていることを特徴とするシート処理装置。
【請求項２】
前記折り目処理手段が前記シート束の折り部に折り目を付けているとき、前記シート束を保持する前記複数の保持手段が、シート束の搬送方向の中央部分を中心にした対称な位置で保持することを特徴とする請求項１に記載のシート処理装置。
【請求項３】
シート束を保持しながら搬送して折り曲げる折り曲げ手段と、
前記シート束の折り部に折り目を付ける折り目処理手段と、
前記折り曲げ手段と前記折り目処理手段との間で前記シート束を保持する保持手段と、を備え、
前記折り曲げ手段と前記保持手段とが、前記折り目処理手段が前記シート束の折り部に折り目を付けているとき、前記シート束を保持していることを特徴とするシート処理装置。
【請求項４】
前記折り目処理手段が前記シート束の折り部に折り目を付けているとき、前記シート束を保持する前記保持手段、及び前記折り曲げ手段が、シート束の搬送方向の中央部分を中心にした対称な位置で保持することを特徴とする請求項２に記載のシート処理装置。
【請求項５】
前記保持手段が、前記シート束を搬送する搬送手段と兼用されていることを特徴とする請求項１乃至４のいずれか１項に記載のシート処理装置。
【請求項６】
前記保持手段が、前記シート束を挟んで保持するローラ対であることを特徴とする請求項１乃至５のいずれか１項に記載のシート処理装置。
【請求項７】
シートに画像を形成する画像形成部と、
前記画像形成部によって画像を形成されたシート束の折り部に折り目処理をするシート処理装置と、を備え、
前記シート処理装置が、請求項１乃至６のいずれか１項に記載のシート処理装置であることを特徴とする画像形成装置。
【発明の詳細な説明】
【技術分野】
【０００１】
本発明は、シート束を折り曲げて冊子状にするシート処理装置、特に、シート束の折り部に折り目を付けているとき、シート束の位置がずれないようにしたシート処理装置と、このシート処理装置を装置本体に備えた画像形成装置とに関する。
【背景技術】
【０００２】
従来、シートに画像を形成する画像形成装置の装置本体には、装置本体で画像形成されたシートを束状にしてから折り曲げて冊子状にするシート処理装置が画像形成装置の構成要素として設けられていることがある。このシート処理装置には、画像形成済みのシートを収納トレイで順次受け取って束にして整合し、中央付近を綴じた後、その中央部を折りローラ対のニップに押し込んで、その折りローラ対で搬送しながらシート束を折り曲げて冊子状にするものがある（特許文献１）。
【０００３】
特許文献１に記載のシート処理装置は、図２０に示すように、第１折りローラ対８３，８４で折り処理されたシート束Ｐの折り部Ｐａを第２折りローラ８５が押圧しながら、折り目に沿って移動することによって、折り部に確実に折り目を付けるようになっている。
【０００４】
【特許文献１】特開２００３−１８２９２８号公報
【発明の開示】
【発明が解決しようとする課題】
【０００５】
しかし、従来のシート処理装置は、シート束の折り部に確実に折り目を付けるとき、第２折りローラ８５が、第１折りローラ対８３，８４だけで保持されているシート束の側端部に乗り上がらなければならない。このため、シート束に、第１折りローラ対８３，８４を中心にした回転モーメントが発生して、シート束の位置がずれることがある。
【０００６】
この結果、第２折りローラ８５は、シート束の位置をずらしながら折り目を走行することなり、折り部に確実に折り目を付けることができないという問題がった。また、位置がずれることによって、シート束に皺を生じさせたり、ローラの跡を付けたり、シート束を引き裂いたりして、折り部に損傷を与えることがあった。最悪の場合、第２折りローラ８５が走行不能になることもあった。これらの現象は、シート束の厚みが厚い程、顕著に発生していた。
【０００７】
さらに、このようなシート処理装置を備えた画像形成装置は、損傷したシート分だけ、シートに画像を再度形成し直す必要があり、画像形成効率が悪かった。
【０００８】
本発明は、シート束の折り部に折り目を付けているとき、シート束の位置がずれないようにして、折り部の折り目処理精度を向上させたシート処理装置を提供することを目的としている。
【０００９】
本発明は、折り部の折り目処理精度を向上させたシート処理装置を備えて、画像形成効率を向上させた画像形成装置を提供することを目的としている。
【課題を解決するための手段】
【００１０】
上記目的を達成するため、本願発明のシート処理装置は、シート束を折り曲げる折り曲げ手段と、前記シート束の折り部に折り目を付ける折り目処理手段と、前記折り目処理手段が前記シート束の折り部に折り目を付けているとき、前記折り曲げ手段と前記折り目処理手段との間で前記シート束を保持する保持手段と、を備え、前記保持手段が、複数備えられていることを特徴としている。
【００１１】
上記目的を達成するため、本願発明のシート処理装置は、シート束を保持しながら搬送して折り曲げる折り曲げ手段と、前記シート束の折り部に折り目を付ける折り目処理手段と、前記折り曲げ手段と前記折り目処理手段との間で前記シート束を保持する保持手段と、を備え、前記折り曲げ手段と前記保持手段とが、前記折り目処理手段が前記シート束の折り部に折り目を付けているとき、前記シート束を保持していることを特徴としている。
【００１２】
上記目的を達成するため、本発明の画像形成装置は、シートに画像を形成する画像形成部と、前記画像形成部によって画像を形成されたシート束の折り部に折り目処理をするシート処理装置と、を備え、前記シート処理装置が、上記のシート処理装置であることを特徴としている。
【発明の効果】
【００１３】
本発明のシート処理装置は、折り目処理手段がシート束の折り部に折り目を付けているとき、折り曲げ手段と処理手段との間でシート束を複数の保持手段で保持するようになっているので、シート束に対する回転モーメントの発生を抑えて、シート束の位置ずれを防止することができる。したがって、本発明のシート処理装置は、シート束の折り部に損傷を与えることなく、シート束の折り部に確実に折り目を付けることができて、折り部の折り目処理精度を向上させることができる。
【００１４】
本発明のシート処理装置は、折り目処理手段がシート束の折り部に折り目を付けているとき、折り曲げ手段と保持手段とが、シート束を保持するようになっているので、シート束に対する回転モーメントの発生を抑えて、シート束の位置ずれを防止することができる。したがって、本発明のシート処理装置は、シート束の折り部に損傷を与えることなく、シート束の折り部に確実に折り目を付けることができて、折り部の折り目処理精度を向上させることができる。
【００１５】
本発明の画像形成装置は、折り部に損傷を与えないで、折り部の折り目処理精度を向上させたシート処理装置を備えているので、シートに画像を再度形成し直す必要がなくなり、画像形成効率を向上させることができる。
【発明を実施するための最良の形態】
【００１６】
以下、本発明の実施形態のシート処理装置としての中綴じ製本部８００を備えたフィニッシャと、このフィニッシャを備えた画像形成装置とを図に基づいて説明する。
【００１７】
図２は、本発明の実施形態における画像形成装置のシート搬送方向に沿った断面図である。
【００１８】
画像形成装置としての複写機１０００は、原稿給送部１００、イメージリーダ部２００及びプリンタ部３００、折り処理部４００、フィニッシャ５００、中綴じ製本部８００（図１参照）、インサータ９００等を備えている。折り処理部４００、インサータ９００等は、オプションとして装備することができる。
【００１９】
原稿給送部１００のトレイ１００１上には、フェイスアップ状態（画像が形成されている面が上向きの状態）で原稿がセットされるようになっている。原稿の綴じ位置は、原稿の左端部であるとする。トレイ１００１上にセットされた原稿は、原稿給送部１００により先頭頁から順に１枚ずつ左方向、すなわち、綴じ位置を先端にして搬送される。そして、原稿は、湾曲したパスを通過してプラテンガラス１０２上を左方向から右方向へ搬送され、その後、排紙トレイ１１２上に排出される。このとき、スキャナユニット１０４は、所定の原稿読取位置に停止している。
【００２０】
スキャナユニット１０４は、スキャナユニット１０４上を左から右へ通過する原稿の画像を読み取る。このような、原稿の読み取り方法を、「流し読み」と言う。原稿がプラテンガラス１０２上を通過するとき、原稿は、スキャナユニット１０４のランプ１０３により照射される。その原稿からの反射光はミラー１０５，１０６，１０７、レンズ１０８を介してイメージセンサ１０９に導かれる。
【００２１】
なお、イメージリーダ部２００は、原稿給送部１００によって原稿をプラテンガラス１０２上に一旦停止させ、その状態でスキャナユニット１０４を左から右へと移動させて原稿の読取処理を行うこともできる。この読み取り方法を、「固定読み」と言う。原稿給送部１００を使用しないで原稿の読み取りを行う場合、ユーザは、原稿給送部１００を開閉して、プラテンガラス１０２上に原稿をセットする。その後、スキャナユニット１０４が、原稿を固定読みする。
【００２２】
イメージセンサ１０９により読み取られた原稿の画像データは、所定の画像処理が施されて露光制御部１１０へ送られる。露光制御部１１０は、画像信号に応じたレーザ光を出力する。レーザ光は、ポリゴンミラー１１０ａにより走査されながら感光ドラム１１１上に照射される。感光ドラム１１１上には走査されたレーザ光に応じた静電潜像が形成される。
【００２３】
感光ドラム１１１上に形成された静電潜像は、現像器１１３により現像され、トナー像として可視化される。一方、シート（記録紙）Ｐは、カセット１１４，１１５、手差し給紙部１２５、両面搬送パス１２４のいずれかから転写部１１６へ搬送される。そして、可視化されたトナー像が転写部１１６においてシートに転写される。転写されたシートは、定着部１７７でトナー像を定着される。感光ドラム１１１、現像器１１３等は、画像形成部を構成している。
【００２４】
そして、定着部１７７を通過したシートは、フラッパ１２１により一旦パス１２２に案内される。シートは、後端がフラッパ１２１を抜けると、スイッチバック搬送されて、フラッパ１２１により排出ローラ１１８へ案内される。シートは、排出ローラ１１８によって、プリンタ部３００から排出される。これにより、シートは、トナー像が形成された面を下向きの状態（フェイスダウン）にしてプリンタ部３００から排出される。これらの動作を、「反転排紙」と言う。
【００２５】
シートをフェイスダウン状態で機外に排出すると、先頭頁から順に画像形成処理を行うことができる。例えば、原稿給送部１００を使用して画像形成処理を行う場合や、コンピュータからの画像データに対する画像形成処理を行う場合に頁順序を揃えることができる。
【００２６】
また、シートの両面に画像を形成する場合、プリンタ部３００は、シートを定着部１７７から真っ直ぐ排出ローラ１１８へ案内し、シートの後端がフラッパ１２１を抜けた直後に、そのシートをスイッチバック搬送して、フラッパ１２１により両面搬送パス１２４へと導く。
【００２７】
次に、折り処理部４００、及びフィニッシャ５００の構成を図１、図２に基づいて説明する。図１は、フィニッシャのシート搬送方向に沿った断面図である。
【００２８】
図２において、折り処理部４００は、プリンタ部３００から排出されたシートを受け入れて、フィニッシャ５００側に案内する搬送パス１３１を備えている。搬送パス１３１には、搬送ローラ対１３０，１３３が設けられている。また、搬送ローラ対１３３の近傍に設けられた切替フラッパ１３５は、搬送ローラ対１３０により搬送されたシートを折りパス１３６またはフィニッシャ５００側に導くようになっている。
【００２９】
シートの折り処理を行う場合、切替フラッパ１３５は、折りパス１３６側に切り替わって、シートを折りパス１３６に案内する。折りパス１３６に導かれたシートは、折りローラ１４０，１４１まで搬送されて、Ｚ型に折り畳まれる。
【００３０】
折り処理を行わない場合、切替フラッパ１３５は、シートをフィニッシャ５００に案内する側に切り替わる。プリンタ部３００から排出されたシートは、搬送パス１３１と切替フラッパ１３５を通過して、直接、フィニッシャ５００に送り込まれる。
【００３１】
折りパス１３６に搬送されたシートは、ストッパ１３７に先端を突き当てられてループが形成されてから、折りローラ１４０，１４１によって折られる。この折り部を、上方のストッパ１４３に突き当てることで形成されるループを、折りローラ１４１，１４２によりさらに折ることで、シートは、Ｚ折りされる。Ｚ折りされたシートは、搬送パス１４５，１３１を案内されて、排出ローラ１３３によってフィニッシャ５００に排出される。なお、折り処理部４００による折り処理動作は、選択的に行われる。
【００３２】
フィニッシャ５００は、プリンタ部３００から折り処理部４００を介して搬送されてきた複数枚のシートを整合して、１つのシート束として束ねる処理、シート束の後端側をステイプルするステイプル処理（綴じ処理）、ソート処理、ノンソート処理等のシートの処理を行うようになっている。
【００３３】
図１に示すように、フィニッシャ５００は、折り処理部４００を介して搬送されてきたシートを装置内部に取り込むための搬送パス５２０を有している。搬送パス５２０には、入口ローラ対５０１からシート搬送方向下流側に向けて順番に搬送ローラ対５０２乃至５０８が設けられている。
【００３４】
搬送ローラ５０２と搬送ローラ５０３の間には、パンチユニット５３０が設けられている。パンチユニット５３０は、必要に応じて動作を行い、搬送されるシートの後端部に孔をあける（穿孔処理を行う）ようになっている。
【００３５】
搬送パス５２０の終端に設けられたフラッパ５１３は、下流に繋がれた上排紙パス５２１と下排紙パス６２２とに経路を切り替えるようになっている。上排紙パス５２１は、上排紙ローラ５０９により、上スタックトレイへの排紙を行うようになっている。一方、下排紙パス６２２は、搬送ローラ対５１０，５１１，５１２が設けられており、これらの搬送ローラ対によってシートを処理トレイ５５０に搬送して排出するようになっている。
【００３６】
処理トレイ５５０に排出されたシートは、順次整合処理されながら束状に積載されて、操作部１（図１１）からの設定に応じて、仕分け処理やステイプル処理が行われ、その後、束排紙ローラ対５５１によりスタックトレイ７００とサンプルトレイ７０１とに選択的に排出される。
【００３７】
なお、上記ステイプル処理は、ステイプラ５６０により行われる。ステイプラ５６０は、シートの幅方向（シート搬送方向に対して交差する方向）にして、シート束の任意の箇所を綴じるようになっている。スタックトレイ７００とサンプルトレイ７０１は、ステイプラ５００の装置本体５００Ａに沿って昇降するようになっている。上側のサンプルトレイ７０１は、上排紙パス５２１と処理トレイ５５０からのシートを受け取るようになっている。また、下側のスタックトレイ７００は、処理トレイ５５０からのシートを受け取るようになっている。このように、スタックトレイ７００とサンプルトレイ７０１とには大量のシートが積載されるようになっている。積載されたシートは、その後端を上下方向に伸びる後端ガイド７１０に受け止められて整列されるようになっている。
【００３８】
次に、中綴じ製本部８００の構成を説明する。
【００３９】
下排紙パス６２２の途中に設けられた切替フラッパ５１４は、シートを右側に切り替えて、サドル排紙パス５２３に案内し、中綴じ製本部８００へ案内するようになっている。中綴じ製本部８００の入口からは、サドル入口ローラ対８０１、サイズに応じてソレノイドにより動作するフラッパ８０２、シートを収納する収納ガイド８０３、滑りローラ８０４、シート位置決め部材８０５が順に配設されている。
【００４０】
サドル入り口ローラ対８０１と滑りローラ８０４は、モータＭ１により回転するようになっている。また、収納ガイド８０３の途中には、収納ガイド８０３を挟んで対向配置されたステイプラ８２０が設けられている。ステイプラ８２０は、針を突き出すドライバー８２０ａと突き出された針を折り曲げるアンビル８２０ｂとを備えている。
【００４１】
シート位置決め部材８０５は、シート搬入時において、シートの先端（下端）を受け止めて、シートの搬送方向中央部が、ステイプラ８２０の綴じ位置になるように、昇降して位置を調節できるようになっている。シート位置決め部材８０５は、モータＭ２によって昇降して、シートサイズに応じた位置に停止するようになっている。
【００４２】
ステイプラ８２０の下流側には、折りローラ対８１０ａ，８１０ｂが設けられている。折りローラ対８１０ａ，８１０ｂの対向位置には、突き出し部材８３０が設けられている。折りローラ対８１０ａ，８１０ｂと突き出し部材８３０は、折り曲げ手段を構成している。
【００４３】
この突き出し部材８３０は、収納ガイド８０３から退避した位置をホームポジションとして、収納されたシート束に向けてモータＭ３により突出し、シート束を、折りローラ対８１０ａ，８１０ｂのニップに押し込むようになっている。突き出し部材８３０はその後、再び、ホームポジションに戻るようになっている。折りローラ対８１０間には、シート束を折り畳むのに充分な圧Ｆ１が不図示のばねにより加わっている。
【００４４】
折りローラ対８１０により折り畳まれたシート束は、第１折り搬送ローラ対８１１ａ，８１１ｂ、第２折り搬送ローラ対８１２ａ，８１２ｂを介して、折り束積載トレイ８５０に排出されるようになっている。
【００４５】
第１折り搬送ローラ対間８１１、及び第２折り搬送ローラ対間８１２にも、折り畳まれたシート束を搬送、停止させるのに充分な力Ｆ２，Ｆ３が加わっている。
【００４６】
搬送ガイド８１３は、折りローラ対８１０と第１折り搬送ローラ対８１１との間でシート束を案内するようになっている。搬送ガイド８１４は、第１折り搬送ローラ対８１１と第２折り搬送ローラ対８１２との間で、シート束を案内するようになっている。なお、折りローラ対８１０、第１折り搬送ローラ対８１１、第２折り搬送ローラ対８１２は、中折りシート束を両面から挟持して、同一のモータＭ４（不図示）により等速回転するようになっている。
【００４７】
整合板対８１５は、折りローラ対８１０ａ，８１０ｂの外周面を周りながら収納ガイド８０３に突出した面を有し、収納ガイド８０３に収納されたシートの幅整合をするようになっている。整合板対８１５は、モータＭ５によって、シートを挟みこみ方向に移動するし、シートの幅方向の位置決めを行うようになっている。
【００４８】
第２折り搬送ローラ対８１２の下流には、折り目プレスユニット８６０が設けられている。この折り目プレスユニット８６０は、プレスローラ対８６１を支持したプレスホルダ８６２を有し、プレスローラ対８６１が折り目をニップした状態で、プレスホルダ８６２を折り目方向に移動させることで、折り目を強化するようになっている。すなわち、折り目を確実に付けるようになっている。折り目プレスユニット８６０の真下には、折り束積載トレイ８５０が設けられている。
【００４９】
次に、折り目プレスユニット８６０の構成を説明する。図３は、折り目プレスユニットの斜視図である。図４は、折り目プレスユニットの正面図である。図５は、図１のＡ矢視図である。図６は、図１のＣ矢視図である。
【００５０】
折り目プレスユニット８６０は、主要部を組み込んだベース板金８６３と２本のスライドシャフト８６４，８６５を有して、フィニッシャの装置本体５００Ａの前後側板に固定されている。２本のスライドシャフト８６４，８６５は、フィニッシャ５００（図１）の前後方向に伸びて並設されて、それぞれプレスホルダ８６２に固定されたスライド軸受け８７４，８７５を介してプレスホルダ８６２を支持している。
【００５１】
タイミングベルト８６８は、ベース板金８６３の前後に回転自在に配設されたプーリ８６６，８６７（図６）に掛け渡されている。タイミングベルト８６８の一部は、連結板金８６９によってプレスホルダ８６２に固定されている。プーリ８６６には、さらに、ベルト８７０（図５）が掛けられていて、駆動伝達用の歯車列８５１を経て、ベース板金８６３に取り付けられたモータＭ６に連結されている。したがって、プレスホルダ８６２は、モータＭ６の回転にともなって、フィニッシャ５００の前後（手前・奥）方向（シートの幅方向）に移動するようになっている。
【００５２】
プレスホルダ８６２のホームポジションは、フィニッシャ５００の奥側である。この位置は、ホームセンサーＳ１（図６）によって検知されるようになっている。プレスホルダ８６２がホームポジションにいるとき、第２折り搬送ローラ対８１２による折り束積載トレイ８５０へのシート束の排出ができるようになっている。
【００５３】
プレスホルダ８６２を説明する。なお、プレスホルダ８６２には、プレスローラ対８６１に対するシートガイド８７１（図３，４，６）が取り付けられているが、図によっては、構成を理解し易くするため、省略してある。
【００５４】
図７は、プレスホルダ８６２の外観斜視図である。図８はプレスホルダ８６２の正面図である。図９は、図１のＢ矢視図である。図１０は、図８のＸ−Ｘ矢視断面図である。
【００５５】
プレスホルダ８６２は、フレーム８４０を有している。フレーム８４０には、スライド軸受け８７４，８７５がビス止めされている。プレスローラ対８６１ａ，８６１ｂは、それぞれローラ軸８７２ａ，８７２ｂに固着され、不図示の軸受けを介してプレスアーム８７３ａ，８７３ｂに回転自在に支持されている。また、プレスアーム８７３ａ，８７３ｂ（図１０）は、フレーム８４０に固定された揺動軸８７４ａ，８７４ｂに、軸受けを介して支持されている。
【００５６】
プレスアーム８７３ａ，８７３ｂの一端部とフレーム８４０とには、引っ張りバネ８７５ａ，８７５ｂが掛け渡してある。プレスローラ対８６１ａ，８６１ｂは、引っ張りバネ８７５ａ，８７５ｂによって、互いに近づく方向に牽引されて、ニップを形成している。但し、プレスローラ対８６１ａ，８６１ｂにシート束が進入すると、プレスアーム８７３ａ，８７３ｂは、揺動軸８７４ａ，８７４ｂを支点に回転して、プレスローラ対８６１ａ，８６１ｂ間に隙間が生じるようにしている。
【００５７】
ローラ軸８７２ａ，８７２ｂの一端部は、フレーム８４０から外方に突出して、ギア８７６，８７７を固定されている。また、フレーム８４０にはギア８８０，８７９，８７８が順にかみ合いなが回転自在に支持されている。ギア８７８はギア８７６に噛み合っている。ギア８７９はギア８７７に噛み合っている。そして、ギア８８０はギア８８１に噛み合っている。ギア８８１はギア軸８８２に固着されている。
【００５８】
ギア軸８８２は、フレーム８４０に軸受けを介して支持されている。ギア軸８８２（図８）の他端にはギア８８３が固定されている。このギア８８３が回転すると、プレスローラ対８６１ａ，８６１ｂはそれぞれギア列を介して回転力が伝達されて回転するようになっている。この回転方向は、挟んだシート束に対して同一の方向である。ギア８８３はラックギア８４１（図３，５）に噛み合っている。ラックギア８４１は、スライドシャフト８６４，８６５と平行に伸びてベース板金８６３に固定されている。
【００５９】
なお、モータＭ６が回転すると、タイミングベルト８６８が循環して、プレスホルダ８６２がスライドシャフト８６４，８６５に支持されながら移動する。この移動にともなって、プレスホルダ８６２のギア８８３は、ラックギア８４１と噛み合いながら回転移動する。ギア８８３の回転によって、プレスローラ対８６１ａ，８６１ｂも回転する。プレスホルダ８６２の移動速度と、２つのプレスローラ対８６１ａ，８６１ｂの周速度は等速になるように、各ギアの歯車比が設定されている。
【００６０】
中折りシート束は、プレスローラ対８６１によってシートの折り部に確実な折り目を付ける折り目処理をされるとき、処理されるシートサイズに拘わらず、中折りシート束の搬送方向の中央部分を中心にした対称な位置で、複数のローラ対によって、停止保持されるようになっている。つまり、中折りシート束には、その先端側において第２折り搬送ローラ対８１２のニップ圧Ｆ３が、その後端側において第１折り搬送ローラ対８１１のニップ圧Ｆ２が、及び中折りシート束のサイズ（搬送方向の長さ）によっては、折りローラ対８１０のニップ圧Ｆ１も同時に加わるようになっている。このため、各ローラ対は、プレスローラ対８６１が中折りシート束をニップするとき、中折りシート束に回転モーメントが生じても、その回転モーメントに抗して中折りシート束が動かないように押さえることができる。
【００６１】
なお、中折りシート束の先端の折り部を確実に折り目処理する際の中折りシート束の先端停止位置（プレス先端位置）が、サイズに拘わらずプレスローラ対８６１と中折りシート束の先端との相対関係が一定になるように、搬送ガイド８１４に設けられたセンサ８８４が、中折りシート束の先端を検知するようになっている。
【００６２】
一方、折り目処理する際の後端位置（プレス後端位置）は、中折りシート束の後端部Ｐｃが収納ガイド８０３内に開いた状態で、あるいは閉じた状態で残らないように、各部品の配置が決定されている。すなわち、収納ガイド８０３に収納されているシート束が突き出し部材８３０に突かれて排出される排出部８０３ａから、折り目処理手段としてのプレスローラ対８６１のニップの下流側側面８６１ｃまでの案内経路８８５の直線最短距離Ｌｓ（図１２）は、折り目処理される中折りシート束の最大サイズにおける搬送方向長さＬ１よりも短く（Ｌｓ＜Ｌ１）設定されている。なお、案内経路８８５の始点は収納ガイド８０３の排出部８０３ａであり、終点はプレスローラ対８６１の下流側側面８６１ｃである。
【００６３】
搬送ガイド８１３，８１４は、中折りシート束にカールの癖を付けないように緩やかに湾曲している。そして、収納ガイド８０３の排出部８０３ａから、折りローラ対８１０と、搬送ガイド８１３，８１４を経てプレスローラ対８６１の下流側側面８６１ｃまでの案内経路８８５の距離Ｌｍは、折り目処理される中折りシート束の最大サイズにおける搬送方向長さＬ１よりも長く（Ｌｍ＞Ｌ１）設定されている。
【００６４】
なお、プレスローラ対８６１は、シート束の先端位置Ｐａをプレスローラ対８６１のニップの下流側側面８６１ｃ近傍に位置させてシート束の折り目処理する場合（図１５参照）もあれば、プレスローラ対８６１のニップの上流側側面８６１ｄの近くに位置させて処理する場合もあれば、さらに、それらの中間位置に位置させて処理する場合もある。しかし、プレスローラ対８６１のニップの下流側側面８６１ｃと上流側側面８６１ｄとの中間位置にシート束の先端を位置させて折り目処理するのが好ましい。このため、その中間位置と排出部８０３ａとの距離が上記Ｌ１よりも長く、かつその中間位置と排出部８０３ａとの直線最短距離が上記Ｌ１よりも短いのが好ましい。
【００６５】
このように、案内経路８８５が、上記（Ｌｓ＜Ｌ１）に設定され、かつ搬送ガイド８１３，８１４が緩やかに湾曲していることによって、搬送ガイド８１３，８１４は、プレスホルダ８６２を含めて、収納ガイド８０３（図１）と後端ガイド７１０との間に収まるように配置されている。
【００６６】
また、中綴じ製本部８００は、上記（Ｌｓ＜Ｌ１）設定されていることによって、折り束積載トレイ８５０と折り目プレスユニット８６０との上下方向の空間を利用して、折り束積載トレイ８５０の上方にオーバーラップさせて配設することができて、装置の水平方向の長さを短くすることができる。
【００６７】
さらに、中綴じ製本部８００は、上記（Ｌｍ＞Ｌ１）に設定されていることによって、プレスローラ対８６１で折り目処理されている間の中折りシート束Ｐの後端部Ｐｃ（図１５）を収納ガイド８０３内に開いて残すようなことがなく、後端部にカールを付与するようなことがない。この結果、中折りされたシート束の後端部Ｐｃが開くようなことがなく、シート束の見栄えを良くすることができる。また、中綴じ製本部８００は、シート束の折り目処理時間間隔、あるいは先行シート束と後続シート束との間隔を短くして、シート束処理効率を向上させることができる。
【００６８】
また、中綴じ製本部８００は、上記（Ｌｍ＞Ｌ１）に設定されていることによって、収納ガイド８０３内に中折りシート束の後端部Ｐｃを残すようなことがなく、中折りシート束の折り部に折り目処理を施しているとき、後続シートを収納ガイド８０３内に順次受け入れることができる。この結果、中綴じ製本部８００は、シート束の折り目処理時間を短くして、シート束処理効率を向上させることができる。
【００６９】
次に、フィニッシャ５００の上部に設けられたインサータ９００を図１に基づいて説明する。インサータ９００は、プリンタ部３００で画像が形成されたシート（記録紙）の先頭頁、最終頁、または、途中頁に、通常のシートとは別のシート（インサートシート）を挿入する装置である。先頭頁、最終頁のインサートシートは表紙用のシートである。
【００７０】
インサータ９００は、ユーザによりインサートトレイ９０１，９０２にセットされたシートを、プリンタ部３００を通さずに、サンプルトレイ７０１，スタックトレイ７００、折り束積載トレイ８５０のいずれかに給送するようになっている。インサータ９００は、インサートトレイ９０１，９０２上に積載されたシート束を、１枚ずつ順次分離して、所望のタイミングでフィニッシャパス５２０に送り込むようになっている。
【００７１】
図１１は、複写機１０００の制御ブロック図である。ＣＰＵ回路部１５０は、ＣＰＵ（不図示）を有している。ＣＰＵ回路部１５０は、ＲＯＭ１５１に格納された制御プログラムと操作部１の設定に基づいて、原稿給送制御部１０１、イメージリーダ制御部２０１、画像信号制御部２０２、プリンタ制御部３０１、折り処理制御部４０１、フィニッシャ制御部５１５、外部Ｉ／Ｆ２０３を制御するようになっている。そして、原稿給送制御部１０１は原稿給送部１００を、イメージリーダ制御部２０１はイメージリーダ部２００を、プリンタ制御部３０１はプリンタ部３００を、折り処理制御部４０１は折り処理部４００を、フィニッシャ制御部５０１はフィニッシャ５００、中綴じ製本部８００、インサータ９００を夫々制御するようになっている。操作部１は、画像形成に関する各種機能を設定するための複数のキー、設定状態を表示するための表示部等を有して、ユーザによる各キーの操作に対応するキー信号をＣＰＵ回路部１５０に出力するとともに、ＣＰＵ回路部１５０からの信号に基づき対応する情報を表示部に表示するようになっている。
【００７２】
ＲＡＭ１５２は、制御データを一時的に保持するための領域や、制御にともなう演算の作業領域として用いられるようになっている。外部Ｉ／Ｆ２０３は、複写機１０００と外部のコンピュータ２０４とのインタフェースであり、コンピュータ２０４からのプリントデータをビットマップ画像に展開して、画像データとして画像信号制御部２０２へ出力するようになっている。また、イメージリーダ制御部２０１から画像信号制御部２０２へは、イメージセンサ（不図示）で読み取った原稿の画像が出力されるようになっている。プリンタ制御部３０１は、画像信号制御部２０２からの画像データを露光制御部（不図示）へ出力するようになっている。
【００７３】
次に、中綴じ製本部８００の中綴じ製本の動作を説明する。
【００７４】
ユーザにより、中綴じ製本モードが設定されると、画像形成されたシートＰが順次、プリンタ部３００の排紙ローラ１１８（図２）から排出される。シートＰは、折り処理部４００を通過し、入口ローラ対５０１（図１）に受け渡された後、搬送パス５２０を経て下排紙パス６２２に送り込まれる。シートは、下排紙パス６２２の途中に設けられた切替フラッパ５１４により、右側に切り替えられて、サドル排紙パス５２３を通過して、中綴じ製本部８００へ送られる。
【００７５】
シートは、図１２に示すように、サドル入口ローラ対８０１に受け渡されて、サイズに応じてソレノイドにより動作するフラッパ８０２により搬入口を選択され、中綴じ製本部８００の収納ガイド８０３内に搬入される。シートは、滑りローラ８０４の搬送力も受けながら、予めシートサイズに適合した位置に停止しているシート位置決め部材８０５に突き当てられて、搬送方向の位置決めがされる。
【００７６】
続いて、シートが収納ガイド８０３に送り込まれてくるとき支障のない位置に待機していた整合板対８１５によって、シートが挟み込み整合されて、シートの両側端が整合される。この結果、シートは、下端と両側端とが整合されたことになる。
【００７７】
以上のシート収容、整合動作は、シートＰが収納ガイド８０３に送り込まれてくるたびに行われる。最終のシートの整合が終了すると、ステイプラ８２０が、収納ガイド８０３に収容されたシート束の搬送方向中央部を針綴じする。針綴じされた束は、図１３に示すように、シート位置決め部材８０５の下降にともなって、下方（矢印Ｄ方向）に移動する。シート位置決め部材８０５は、シート束の中央部、すなわち、針綴じ部が、折りローラ対８１０のニップに対向する位置で停止する。
【００７８】
次に、待機位置にいた突き出し部材８３０が、折りローラ対８１０のニップへ（矢印Ｅ方向へ）と動き出して、折りローラ対８１０を押し広げながらシート束Ｐの中央部を折りローラ対８１０のニップに押し込む。折りローラ対８１０は、ニップでシート束Ｐを挟持して回転しながら搬送して２つに折り畳む（図１４）。このとき、折りローラ対８１０の他に、第１折り搬送ローラ対８１１、第２折り搬送ローラ対８１２も、モータＭ４（図１）の駆動を受けて矢印方向に回転している。これらのローラ対８１０，８１１，８１２は、折られたシート束（中折りシート束）Ｐの折り部を先頭にして中折りシート束を搬送する。中折りシート束は、搬送ガイド８１３，８１４内を搬送されていく。
【００７９】
そして、図１５に示すように、中折りシート束Ｐは、プレスローラ対８６１にニップされる位置まで搬送されると、折り部Ｐａがセンサ８８４に検知されて、モータＭ４が停止して搬送を停止される。このとき、中折りシート束Ｐは、先端部（折り部）を第２折り搬送ローラ対８１２で、後端側を第１折り搬送ローラ対８１１、及び中折りシート束のサイズ（搬送方向の長さ）によっては、折りローラ対８１０によって保持されている。各ローラ対８１２，８１１，８１０は、シート束の搬送方向中心部分を中心にした対称な位置で保持している。なお、突き出し部材８３０は、シート束の突き出しが終了すると、再び退避位置へ退避する。
【００８０】
また、図１６に示すように、各ローラ対８１２，８１１，８１０による中折りシート束Ｐの搬送に先立ち、プレスホルダ８６２は、中折りシート束Ｐのサイズ（幅方向）に応じた待機位置（奥側）に待機している。中折りシート束Ｐの停止が完了して、中折りシート束Ｐの折り部がシートガイド８７１（鎖線）に挿入されると、モータＭ６が始動して、折り目プレスユニット８６０は、プレスローラ対８６１を回転させながら、手前側（矢印Ｆ方向、中折りシート束の幅方向）への移動を開始する。
【００８１】
その後、プレスローラ対８６１は停止保持されている中折りシート束Ｐのシート搬送方向に沿った側端部Ｐｂに当接する。プレスローラ対８６１ａ，８６１ｂは、ともに回転しており、中折りシート束Ｐの側端部Ｐｂを受け入れて側端部に円滑に乗り上がって、折り部を挟持する（図１７）。プレスローラ対８６１は、中折りシート束の厚みが増えても変わることなく、プレスホルダ８６２の移動に同期して、応答遅れすることなく中折りシート束をニップできるようになっている。このため、プレスローラ対８６１は、中折りシート束Ｐを破ったり、中折りシート束に皺を生じさせたり、ローラ跡を付けたりして損傷を与えることなく、中折りシート束Ｐの折り部に確実に折り目を付けることができる。
【００８２】
また、プレスローラ対８６１が中折りシート束Ｐの側端部Ｐｂに乗り上がるとき、プレスローラ対８６１は、中折りシート束Ｐを押すようにして側端部Ｐｂに乗り上がるため、中折りシート束Ｐに回転モーメントが発生する。しかし、中折りシート束Ｐは、上述したように、長いスパンで保持手段としての第１、第２折り搬送ローラ対８１１，８１２で確実に挟持されているため（シートサイズによっては、ローラ対８１０も中折りシート束Ｐを挟持している）、回転モーメントに抗することができて、傾いたり、位置がずれたりすることがほとんどない。
【００８３】
このような理由からも、プレスローラ対８６１は、中折りシート束Ｐを破ったり、中折りシート束に皺を生じさせたり、ローラ跡を付けたりして損傷を与えることがなく、しかも、円滑に回転走行することができて、折り部に折り目を付けることができる。
【００８４】
なお、第１、第２折り搬送ローラ対８１１，８１２は、シート搬送方向に沿った方向に配列されているが、シート搬送方向に対して交差する方向（シートの幅方向）に並ぶようにして配設されていてもよい。すなわち、第１、第２折り搬送ローラ対８１１，８１２は、シート束に回転モーメントが発生しないようにする位置に配設されて、シート束を挟持（保持）していればよい。
【００８５】
また、中折りシート束の長さによっては、第１、第２折り搬送ローラ対８１１，８１２に相当するローラ対の数を増やしてもよいし、また、第１、第２折り搬送ローラ対８１１，８１２の内、いずれか一方のローラ対と、折りローラ対８１０とだけであっても良い。
【００８６】
各ローラ対８１２，８１１，８１０は、ローラ対でなく、ベルト対であってもよい。
【００８７】
さらに、第１、第２折り搬送ローラ対８１１，８１２は、中折りシート束を搬送する搬送機能と、中折りシート束の位置がずれないよう保持する保持機能とを備えているが、搬送機能のみ備え、保持機能を他の保持機構に備えさせてもよい。その保持機構は、プレスローラ対８６１ａ，８６１ｂが中折りシート束の折り部の形状を整えているとき、不図示のプランジャによって開閉する１対に保持片で、中折りシート束の両面から挟持するようになっている。
【００８８】
また、プレスホルダ８６２と２つのプレスローラ８６１ａ，８６１ｂは、１つの駆動源であるモータＭ６によって駆動されるため、複数のモータを使用した場合に比べて、簡易な構成でそれぞれの速度合わせることができる。
【００８９】
折り部に乗り上がったプレスローラ対８６１は、折り部を押圧しながら移動を継続して、中折りシート束Ｐの手前位置で停止して（図１８）、再び奥側（矢印Ｃ方向）へ戻る。折り部は、プレスローラ対８６１の往復動作により、確実に折り目付けされたことになる。プレスローラ対８６１の往復回数は、シートのサイズ、枚数、厚みや画像情報（シートに付着するトナー量）によって変えられるようになっている。つまり、折り目が付きにくいものについては往復回数を増やすことで、折り部に確実に折り目を付けることができる。往復回数は、実験結果に基づいて設定することができる。
【００９０】
プレスローラ対８６１による折り部の折り目処理中において、前述したように、中折りシート束Ｐの後端部Ｐｃは、図１５に示すように、収納ガイド８０３の領域外に位置している。したがって、次に、処理すべき後続の束Ｐ２があっても、プリンタ部３００は、止まることなく継続して画像形成を行い、先行の中折りシート束の折り目処理と平行してシートの収納、整合動作を行うことができる。また、折り目処理中に停止している中折りシート束の後端部Ｐｃは、開くこと無く、重なって束搬送ガイド８１３に収まっているため、互いに離れる方向のカールが付くこともない。
【００９１】
プレスローラ対８６１が所定回数往復後、プレスホルダ８６２は、ホームポジションに移動して、中折りシート束の搬送方向の経路を開放する。続いて、図１９に示すように、モータＭ４により停止していた各ローラ対８１０，８１１，８１２が回転して中折りシート束は、搬送を再開されて折り束積載トレイ８５０上に排出される。排出された中折りシート束Ｐは、上記の作用で折り目Ｐａが確実に折り曲げられた状態で、かつ後端部Ｐｃが閉じた状態で折り束積載トレイ８５０上に積載される。
【００９２】
中綴じ製本部８００が、以上の動作を繰り返すことにより、所望の部数束を折り束積載トレイ８５０に積載することができる。各中折りシート束は、上述の折り目処理で折り性が向上されているため、折り束積載トレイ８５０での整列品位も向上されて積載されている。
【図面の簡単な説明】
【００９３】
【図１】本発明の実施形態のシート処理装置としての中綴じ製本部を備えたフィニッシャのシート搬送方向に沿った断面図である。
【図２】本発明の実施形態の画像形成装置としての複写機のシート搬送方向に沿った断面図である。
【図３】本発明の実施形態のシート処理装置としての中綴じ製本部の概観斜視図である。
【図４】図３における中綴じ製本部の折り目プレスユニットの正面図である。
【図５】図３における中綴じ製本部の折り目プレスユニットの図１中Ａ矢視図である。
【図６】図３における中綴じ製本部の折り目プレスユニットの図１中Ｃ矢視図である。
【図７】折り目プレスユニットのプレスホルダ部分の外観斜視図である。
【図８】折り目プレスユニットのプレスホルダ部分の正面図である。
【図９】図３における中綴じ製本部の折り目プレスユニットの図１中Ｂ矢視図である。
【図１０】図８中Ｘ−Ｘ矢視図である。
【図１１】複写機全体の制御ブロック図である。
【図１２】中綴じ製本部の収納ガイドにシート束が収納されて、綴じられたときの状態を示す図である。
【図１３】中綴じ製本部の収納ガイドに収納されたシート束の綴じ位置を折り曲げ開始するときの状態を示す図である。
【図１４】中綴じ製本部がシート束を折り曲げ開始したときの状態図である。
【図１５】中綴じ製本部が折り曲げシートをプレスローラ対まで搬送した状態の図である。
【図１６】中綴じ製本部のプレスローラ対が折り曲げシートの折り部に確実に折り目付けするための動作を開始するときの図である。
【図１７】中綴じ製本部のプレスローラ対が折り曲げシートの折り部に確実に折り目付けするための動作を開始したときの図である。
【図１８】中綴じ製本部のプレスローラ対が折り曲げシートの折り部の押圧を完了したときの図である。
【図１９】中綴じ製本部によって、中折りシート束が排出された状態の図である。
【図２０】従来のシート処理装置の動作説明用の図である。
【符号の説明】
【００９４】
Ｍ１，Ｍ２，Ｍ３，Ｍ４，Ｍ５      モータ
Ｐ      中折りシート束
Ｐａ    中折りシート束の折り目
Ｐｂ    中折りシート束の側端部
Ｐｃ    中折りシート束の後端部
１０００    複写機（画像形成装置）
１１１      感光ドラム（画像形成部）
１１３      現像器（画像形成部）
５００      フィニッシャ
７００      スタックトレイ
８００      中綴じ製本部（シート処理装置）
８０３      収納ガイド
８１０      折りローラ対（折り曲げ手段）
８１０ａ，８１０ｂ      折りローラ対
８１１      第１折り搬送ローラ対（保持手段）
８１１ａ、８１１ｂ      第１折り搬送ローラ対
８１２      第２折り搬送ローラ対（保持手段）
８１２ａ、８１２ｂ      第２折り搬送ローラ対
８１３      搬送ガイド
８１４      搬送ガイド
８３０      突き出し部材（折り曲げ手段）
８５０      折り束積載トレイ
８６０      折り目プレスユニット
８６１      プレスローラ対（折り目処理手段）
８６１ａ、８６１ｂ      プレスローラ対
８６２      プレスホルダ
【図１】
2006341991.tif 000003
【図２】
2006341991.tif 000004
【図３】
2006341991.tif 000005
【図４】
2006341991.tif 000006
【図５】
2006341991.tif 000007
【図６】
2006341991.tif 000008
【図７】
2006341991.tif 000009
【図８】
2006341991.tif 000010
【図９】
2006341991.tif 000011
【図１０】
2006341991.tif 000012
【図１１】
2006341991.tif 000013
【図１２】
2006341991.tif 000014
【図１３】
2006341991.tif 000015
【図１４】
2006341991.tif 000016
【図１５】
2006341991.tif 000017
【図１６】
2006341991.tif 000018
【図１７】
2006341991.tif 000019
【図１８】
2006341991.tif 000020
【図１９】
2006341991.tif 000021
【図２０】
2006341991.tif 000022